(57)【要約】  有価物品又は有価ドキュメント内に一体化されるのに適するようにされた密着性シート状又はテープ状物品（１０）は、金属粒子又は金属被覆粒子の形態にある非細長セキュリティ粒子（１４）と、紙適合性又はプラスチック適合性バインダー（１２）とを備える。このシート状又はテープ状部品は、セキュリティ粒子の濃度の良好な制御を可能にすると共に、有価ドキュメント内へのセキュリティ粒子の一体化を容易にすることができる。
2009515063.tif 000002
【特許請求の範囲】
【請求項１】
有価物品又は有価ドキュメント内に一体化されるのに適するようにされた密着性シート状又はテープ状物品であって、
非細長セキュリティ粒子と、
紙適合性又はプラスチック適合性バインダーと
を備えることを特徴とする密着性シート状又はテープ状物品。
【請求項２】
１．０×１０−６ｇ／ｃｍ２から１．０×１０−３ｇ／ｃｍ２までの範囲内にあるセキュリティ粒子の濃度を有することを特徴とする請求項１に記載のシート状又はテープ状物品。
【請求項３】
前記バインダーが、水溶性であることを特徴とする請求項１又は２に記載のシート状又はテープ状物品。
【請求項４】
前記バインダーが、ポリビニルアルコール、メチルセルロースエーテル、ヒドロキシプロピルメチルセルロース、エチレンオキサイドから得られるポリエーテル、アクリル酸ポリマー、又はアクリルコポリマーからなる群から選択されることを特徴とする請求項３に記載のシート状又はテープ状物品。
【請求項５】
可塑剤、二酸化チタン、又は炭酸塩をさらに含むことを特徴とする請求項１〜４のいずれかに記載のシート状又はテープ状物品。
【請求項６】
前記可塑剤が、ポリエチレングリコール、ポリビニルアルコール、又は両者の組合せであることを特徴とする請求項５に記載のシート状又はテープ状物品。
【請求項７】
排水を容易にするために、多孔性を備えることを特徴とする請求項１〜６のいずれかに記載のシート状又はテープ状物品。
【請求項８】
請求項１〜７のいずれかに記載のシート状又はテープ状物品を含む有価ドキュメント。
【請求項９】
ａ）液状状態又は流動状態にあるバインダーを準備するステップと、
ｂ）非細長セキュリティ粒子を準備するステップと、
ｃ）前記粒子を前記バインダー内に混入するステップと、
ｄ）前記粒子を含む前記バインダーをキャストするステップと、
ｅ）キャストされた、前記粒子を含む前記バインダーを、前記シート状又はテープ状物品を形成するように、乾燥又は加熱処理するステップと
を含むことを特徴とする請求項１〜７のいずれかに記載のシート状又はテープ状物品を製造する方法。
【請求項１０】
ａ）基板を準備するステップと、
ｂ）非細長セキュリティ粒子を前記基板上に供給するステップと、
ｃ）液状状態又は流動状態にあるバインダーを前記セキュリティ粒子上にキャストするか又は噴霧するステップと、
ｄ）前記バインダー及び前記セキュリティ粒子の前記配合物を、密着性シート状又はテープ状物品が前記基板から分離可能に得られるように、乾燥又は加熱処理するステップと
を含むことを特徴とする請求項１〜７のいずれかに記載のシート状又はテープ状物品を製造する方法。
【発明の詳細な説明】
【技術分野】
【０００１】
本発明は、セキュリティ粒子を有する密着性シート状又はテープ状物品に関する。第２の態様によれば、本発明は、このようなシート状又はテープ状物品を含む有価ドキュメントにも関する。第３の態様によれば、本発明は、シート状又はテープ状物品を製造する２つの方法に関する。
【背景技術】
【０００２】
有価ドキュメントを認証又は識別するために、セキュリティ粒子を基材に一体化させることは、知られている。このような有価ドキュメントを記載する先行技術文献のほんの一例として、米国特許第４，４０８，１５６号明細書、欧州特許第０２３６３６５Ｂ号明細書、及び欧州特許第０８９７５６９Ｂ号明細書が挙げられる。
【０００３】
米国特許第４，２６５，７０３号明細書は、金属繊維の形態にあるセキュリティ粒子を紙のような繊維性構造内に一体化する方法を記載している。実際には、金属繊維と紙状材料との間の比重の差によって、もし予防策が講じられないと、金属繊維を紙基材内に均質に分散させるのが困難である。米国特許第４，２６５，７０３号明細書では、金属粒子の束を水溶性バインダーの浴内に入れることによって、バインダーによって被覆された金属粒子束を作製する予防策が取られている。水溶性バインダーは、ポリビニルアルコール又は糊のいずれかである。この後、繊維束は、乾燥され、次いで、切断され、所定長さのバインダーと繊維の凝集塊を得る。これらの凝集塊が、紙粒子と混合され、シート状構造を形成する。このシート状構造では、金属粒子が均質に分散している。バインダー材料は、フィラメントを分離する材料として機能する。
【０００４】
この方法は、好適に活用されているが、それにも関わらず、基材内における粒子濃度のバラツキが見られる。粒子によって与えられるセキュリティレベルが基材内の粒子濃度にも依存する場合、これらの濃度のバラツキは、許容できない。
【０００５】
米国特許第４，２６５，７０３号明細書に記載の方法は、金属粒子を有価ドキュメントの限られた箇所に含ませるのにも適用可能である。これらの限られた箇所は、帯又は縞の形態を取り得る。実験によれば、このような帯又は縞の幅を所定の狭い制限範囲内に維持するのは困難であることが分かっている。さらに、一部の寸法、例えば、極めて小さい幅を得ることができない。ここでも、金属粒子によって得られるセキュリティレベルが有価ドキュメント内の金属粒子の正確な位置にも依存する場合、この位置の余りにも大きなバラツキは、許容できない。  
【発明の開示】
【発明が解決しようとする課題】
【０００６】
本発明の目的は、先行技術の欠点を解消することにある。
【０００７】
本発明の他の目的は、有価ドキュメントの基材内におけるセキュリティ粒子の濃度をより正確に制御することにある。
【０００８】
本発明のさらに他の目的は、セキュリティドキュメント内におけるセキュリティ粒子の位置を正確に決定することにある。
【０００９】
本発明のさらに他の目的は、有価ドキュメントの製造方法とは殆ど無関係に、セキュリティ粒子を有価ドキュメント内に一体化する確実な方法を提供することにある。
【課題を解決するための手段】
【００１０】
本発明の第１の態様によれば、有価物品又は有価ドキュメント内に一体化されるのに適するようにされた密着性シート状又はテープ状部品が提供される。本物品は、
−非細長セキュリティ粒子と、
−紙適合性又はプラスチック適合性バインダーと
を含む。
【００１１】
本発明の文脈では、「有価ドキュメント」という用語は、あらゆる種類の価値のあるドキュメント、例えば、銀行券、債券、パスポート、クレジットカード、入場券などを指す。セキュリティ粒子は、ドキュメントの内側又は外側のいずれかに一体化される。
【００１２】
「非細長（ｎｏｎ−ｅｌｏｎｇａｔｅｄ）セキュリティ粒子」という用語は、繊維状物品と区別するために用いられ、種々の寸法（例えば、長さ、幅、深さ）の比率が、限られた範囲内、例えば、１０倍未満、好ましくは、６倍未満、例えば、５倍未満の範囲内にある粒子を指す。「非細長粒子」という用語は、粉末、小球、顔料、などを含む。寸法の絶対値は、最終的な有価ドキュメントの最終厚みよりも小さい。
【００１３】
「セキュリティ粒子」として機能するために、粒子は、基材に対して検出可能に異なるパラメータを有する。検出可能な差は、種々の形態、例えば、光学的な差（例えば、反射、吸収、又は透過の差）、又は導電率、磁気保磁力、周波数応答、マイクロ波反射、マイクロ波吸収の差などの形態を取ることができる。
【００１４】
一種類の非細長セキュリティ粒子に加え、他のセキュリティ粒子及び／又はセキュリティ機能もしくは識別機能を有しない粒子が加えられてもよい。例えば、シート状又はテープ状物品の段階で基材と親和性を有する粒子を加えると有利である。この関連で、基材が紙を含む場合、セキュリティ粒子に加え、セルロース粒子を加えると有利である。
【００１５】
非細長セキュリティ粒子は、１．０×１０−６から１．０×１０−３ｇ／ｃｍ２の範囲内の濃度でシート状又はテープ状物品に含まれるとよい。
【００１６】
「紙適合性又はプラスチック適合性バインダー」という用語は、紙又はプラスチック素地内に容易に一体化されることを意味する。バインダーは、一体化プロセス中に消滅するか、又は、紙又はプラスチックに結合される。
【００１７】
有利には、バインダーは、水溶性バインダーである。このバインダーは、紙内への一体化に特に有利である。
【００１８】
一例として、バインダーは、ポリビニルアルコール、メチルセルロースエーテル、ヒドロキシプロピルメチルセルロース、エチレンオキサイドから得られるポリエーテル、アクリル酸ポリマー、又はアクリルコポリマーからなる群から選択されるとよい。
【００１９】
好ましい一例として、メチルセルロースは、ここでは、バインダーとして以下の利点を有する。すなわち、メチルセルロースは、安価なバインダー材料であり、どのような成形又は混合も室温状態で可能であり、メチルセルロース及びメチルセルロースに混合された材料の再使用も可能である。バインダー材料であるメチルセルロースは、加熱によって、容易に分解する。
【００２０】
テープ状又はシート状物品は、このように、一時的にしか存在しない。その目的は、セキュリティ粒子の濃度及びセキュリティ粒子の領域の幾何学的な配置を、良好に制御することにある。この制御は、テープ状又はシート状材料の段階でなされ、最終的な有価ドキュメント又は有価物品の段階でなされるものではない。最終的に、テープ状又はシート状物品は、有価ドキュメント又は有価物品に一体化される。この一体化ステップがいったんなされると、テープ状又はシート状材料を健全な状態で有価ドキュメント又は有価物品から引き出すことはできない。従って、テープ状又はシート状物品は、その寿命の全体にわたって、密着性のある強固な状態で保持されねばならない。有価ドキュメント又は有価物品と一体化した時点で、テープ状又はシート状物品は、それ自体として存在することを終了しなければならない。
【００２１】
好ましくは、可塑剤が、溶媒内のセキュリティ粒子及びバインダーに添加され、かつ混合されてもよい。このような可塑剤によって、シート状又はテープ状物品をより強靭かつより柔軟にすることができる。可塑剤の一例として、ポリエチレングリコールが挙げられる。他の例として、ポリビニルアルコールが挙げられる。
【００２２】
可塑剤は、特に、シート状又はテープ状物品が紙からなる有価ドキュメント内に一体化される場合、他の機能を有することができる。製紙は、多量の水を用いることによって、極めて湿気の多い雰囲気でなされる。テープ状又はシート状物品に正確な量の可塑剤が含まれていると、テープ状又はシート状材料の分解過程及び紙からなる有価ドキュメント内への一体化に必要な時間を制御することができる。可塑剤に加え、酸化チタン（ＴｉＯ２）及び炭酸塩も、この機能を果たすことができる。可塑剤、ＴｉＯ２、炭酸塩の量が多くなるほど、分解過程が長くなる。
【００２３】
また、着色添加物が、セキュリティ粒子及びバインダー材料に混合されてもよい。これによって、シート状又はテープ状物品に所定の特定色を与えることができる。着色によって、セキュリティ粒子の存在を隠蔽することができる。
【００２４】
有利には、特に基材としての紙と共に用いられるとき、シート状又はテープ状部品は、例えば、シート状又はテープ状物品に小さい孔を開けることによって、多孔性にされるとよい。この多孔性によって、シート状又はテープ状物品を紙基材に一体化する最中の水の排出が容易になる。
【００２５】
本発明の第２の態様によれば、テープ状又はシート状物品が内側又は外側に一体化された有価ドキュメント又は有価物品が提供される。
【００２６】
本発明の第３の態様によれば、シート状又はテープ状物品を製造する２つの方法が提供される。
【００２７】
第１の方法は、以下のステップ、すなわち、
ａ）液状状態又は流動状態にある、例えば、水のような溶媒中にあるバインダーを準備するステップと、
ｂ）セキュリティ粒子として機能する非細長粒子を準備するステップと、
ｃ）粒子をバインダー内に混入するか又はバインダーと共に混合するステップと、
ｄ）粒子を含むバインダーをキャスト（ｃａｓｔ）するステップと、
ｅ）キャストされた粒子を含むバインダーを、密着性シート状又はテープ状物品を形成するように、乾燥又は加熱処理するステップと
を含む。
【００２８】
本発明の利点の１つは、ステップｃ）から得られる。すなわち、粒子は、制御可能かつ測定可能な濃度で、バインダー材料に混合される。もし非セキュリティ粒子、可能であれば他の添加物、及び溶媒を除外すれば、パラメータは、セキュリティ粒子の量、バインダー材料の量、及び混合の程度のみである。セキュリティ粒子の量及びバインダー材料の量は、いずれも、正確に測定することができる。混合の程度は、例えば、混合物内におけるスクリューの回転数及び作業温度によって、容易に制御可能である。バインダー内に混合された粒子がキャストされ、例えば、溶媒を蒸発させるために、乾燥又は加熱処理され、密着性シート状又はテープ状物品が形成される。このシート状又はテープ状物品内のセキュリティ粒子の濃度及びその濃度のバラツキは、最終製品内に一体化される前のこのシート状又はテープ状物品に対して、測定される。シート状又はテープ状物品内のセキュリティ粒子の濃度は、最終製品又は最終ドキュメント内のセキュリティ粒子の濃度と直接的に関連する。
【００２９】
本発明の実施形態では、テープ状又はシート状物品は、ドクターブレードのような塗布器を用いてキャストされるとよい。
【００３０】
本方法は、シート状又はテープ状物品を切断するステップをさらに含む。この付加的なステップは、セキュリティ粒子が存在する箇所の寸法を正確に決定することができるという利点を有する。さらに、この正確な寸法の決定は、最終的な有価物品又は有価ドキュメントの製造の前になされる。これは、この予めなされる別途の切断によって、方法の全体が、より確実になり、かつセキュリティ粒子を最終的な有価ドキュメント内又は有価物品上に一体化する特定の手順への依存が低くなることを意味する。
【００３１】
後続するステップでは、乾燥されたセキュリティ粒子を含むバインダーが、有価ドキュメント又は有価物品の基材内に一体化される。
【００３２】
第２の方法は、以下のステップ、すなわち、
ａ）基板を準備するステップと、
ｂ）金属粒子又は金属被覆粒子の形態にある非細長セキュリティ粒子を基板上に供給するステップと、
ｃ）液状状態又は流動状態にあるバインダーをセキュリティ粒子上にキャストするか又は噴霧するステップと、
ｄ）バインダー及びセキュリティ粒子の配合物（ｃｏｍｂｉｎａｔｉｏｎ）を、密着性シート状又はテープ状物品が基板から分離可能に得られるように、乾燥又は加熱処理するステップと
を含む。
【００３３】
この第２の方法では、セキュリティ粒子の濃度及びセキュリティ粒子の領域の幾何学的な位置は、ステップｂ）において主に制御される。
【００３４】
以下、添付の図面を参照して、本発明をさらに詳細に説明する。
【発明を実施するための最良の形態】
【００３５】
図１は、本発明の方法によるシート状又はテープ状物品１０を示している。シート状又はテープ状物品１０は、非細長セキュリティ粒子１４と混合されたバインダー１２をキャストし、溶媒を乾燥することによって、得られる。
【００３６】
セキュリティ粒子１４は、例えば、ガラス粒子又はガラス粉末であるとよい。一例では、ガラス粒子は、０．１μｍから３０μｍの範囲内の直径を有している。
【００３７】
シート状又はテープ状物品１０は、以下の方法、すなわち、
ａ）メチルセルロースのようなバインダーを水のような溶媒によって満たされた容器内に注ぎ、
ｂ）所定量の非細長粒子１４を同じ容器内に注ぎ、
ｃ）可能な限り均質な分散物を得るために、粒子１４を、（例えば、１リットル（溶媒とメチルセルロース）につき０．１ｇから４．５ｇの範囲内、例えば、０．３ｇ／ｌから１．５ｇ／ｌの範囲内の量の粒子１４を）、メチルセルロース内に混入し、
ｄ）溶媒、メチルセルロース１２、及び粒子１４を含むスラリーを平面、例えば、金属面にキャストし、
ｅ）キャストされた混合物を所定厚み、例えば、３０μｍから５００μの間、例えば、６０μｍから３００μｍの間の厚みに、（平滑化ラス（lath）、例えば、ドクターブレードのクリアランスによって）平滑化し、
ｆ）平滑化した混合物を乾燥し、
ｇ）乾燥した混合物を所望の長さ及び所望の幅に切断する
ことによって作製される。
【００３８】
メチルセルロース内の粒子１４の濃度及びその濃度のバラツキのどのような制御も、シート状又はテープ状物品１０に対して、行われるとよい。濃度の仕様を満たさないどのようなシート状又はテープ状物品も、回収されるとよい。
【００３９】
所望の幅に切断することによって、濃度の副次的な悪影響を、たとえ存在したとしても、避けることができる。
【００４０】
シート状又はテープ状物品の濃度は、例えば、０．０５ｇ／ｍ２から１０．０ｇ／ｍ２の範囲内、例えば、０．１ｇ／ｍ２から１．０ｇ／ｍ２の範囲内、例えば、０．５ｇ／ｍ２であるとよい。
【００４１】
図２ａ，２ｂは、それぞれ、紙基材２２及び非細長粒子を含む２つの小さい帯２４，２６を有する有価ドキュメント２０の上面図及び断面図である。このような有価ドキュメントの一例として、銀行券が挙げられる。２つの小さい帯２４は、シート状又はテープ状物品１０を予め所望の幅に切断することによって、得られる。その結果、この幅は、無秩序な粒子が製紙プロセス中に紙基材内に一体化される先行技術の場合よりも正確に確定される。もしバインダー材料が溶媒である水に溶解したメチルセルロースの場合、このバインダー材料は、製紙中に用いられる水及び製紙中に生じる熱によって、紙基材内への一体化中に、部分的又は完全に溶解する可能性がある。しかし、この「見えなくなること（ｄｉｓａｐｐｅａｒａｎｃｅ）」は、ドキュメント内における粒子の濃度及び分布に悪影響を与えるものではない。
【００４２】
図３ａ，３ｂは、それぞれ、プラスチック基材３２及び粒子を含む層３４を有する有価ドキュメント３０の上面図及び断面図である。このような有価ドキュメントの例として、クレジットカード又はプラスチック銀行券が挙げられる。有価ドキュメント３０は、非細長粒子１４を有するシート状又はテープ状物品１０を２つのプラスチック箔３２間に積層することによって作製されるとよい。ここでも、もし溶媒としての水に溶解したメチルセルロースがバインダー材料として用いられる場合、このバインダー材料は、積層中に生じる熱によって、部分的又は完全に見えなくなる可能性がある。
【図面の簡単な説明】
【００４３】
【図１】非細長セキュリティ粒子と混合されたバインダーをキャストし、かつ乾燥して得られたものを示す図である。
【図２ａ．２ｂ】それぞれ、紙からなる有価ドキュメントを示す上面図及び断面図である。
【図３ａ．３ｂ】それぞれ、プラスチックからなる有価ドキュメントを示す上面図及び断面図である。
【図１】
2009515063.tif 000003
【図２ａ】
2009515063.tif 000004
【図２ｂ】
2009515063.tif 000005
【図３ａ】
2009515063.tif 000006
【図３ｂ】
2009515063.tif 000007
【国際調査報告】
2009515063.tif 000008
2009515063.tif 000009